(57)【特許請求の範囲】
【請求項１】
バックル本体と、
上記バックル本体の後面側に設けられた係止部と、を備え、
上記係止部は、更に上記バックル本体の上下方向に延びた回転軸を中心に回転自在な回転作動部と、上記回転作動部の周面上に形成された当接部と、上記回転作動部の周面上より突出するように形成された分離した２つの操作部と、
上記回転作動部の内部において回転軸周りに巻かれたバネ部材と、を有し、
上記２つの操作部は、上記回転作動部の上端近傍及び下端近傍にそれぞれ設けられており、上記バックル本体に対して長尺部材を挿通すると、上記回転作動部が上記回転軸を中心に回転し、上記係止部の上記当接部が当該長尺部材に当接して位置固定し、上記２つの操作部のいずれかを押下すると、上記回転作動部が上記回転軸を中心に回転し、当該回転に従って上記当接部の上記長尺部材への当接が解除される
バックル。
【請求項２】
上記当接部は、所定の間隔で溝が刻まれた溝面部を有し、
上記回転作動部の上記回転にしたがって、上記当接部の上記溝面部が上記回転作動部の円周方向に移動することで、上記当接が解除される
請求項１に記載のバックル。
【請求項３】
上記回転作動部は、通常の状態では、上記当接部が上記長尺部材に当接する位置となるように上記バネ部材により付勢されている
請求項１に記載のバックル。
【請求項４】
上記溝面部は、弾性部材により形成されている
請求項２に記載のバックル。
【請求項５】
長尺部材と、上記長尺部材の一端を保持すると共に他端を任意の位置で保持するものであってバックル本体と当該バックル本体の後面側に設けられた係止部とを備えたバックルとからなるベルトであって、
上記係止部は、更に上記バックル本体の上下方向に延びた回転軸を中心に回転自在な回転作動部と、上記回転作動部の周面上に形成された当接部と、上記回転作動部の周面上より突出するように形成された分離した２つの操作部と、
上記回転作動部の内部において回転軸周りに巻かれたバネ部材と、を有し、
上記２つの操作部は、上記回転作動部の上端近傍及び下端近傍にそれぞれ設けられており、
上記バックル本体に対して長尺部材を挿通すると、上記係止部の上記当接部が当該長尺部材に当接して位置固定し、上記操作部を押下すると、上記回転作動部が上記回転軸を中心に回転し、当該回転に従って上記当接部の上記長尺部材への当接が解除されるベルト。
【発明の詳細な説明】
【技術分野】
【０００１】
この発明は、例えば、皮等からなる長尺部材の一端が固定され他端が任意の位置で位置固定されるバックル、及びそれを用いたベルトに関する。
【背景技術】
【０００２】
従来、一般的なベルトでは、皮や合成皮革、布製の帯状の長尺部材の一端にバックルが設けられており、当該長尺部材の他端において、その長手方向に所定の間隔で配列された孔に、上記バックルの一部である棒状部材の先端が挿入され、所定の位置関係で固定することがなされていた。しかしながら、このような構成のベルトでは、固定位置が長尺部材に設けられた孔の位置に依存し厳密な位置調整ができない。この点に鑑みて、バックルにより長尺部材の他端を任意位置で係止する方式のベルトも提案されている。
【０００３】
例えば、ベルトに狭い間隔の鋸歯を複数形成した鋸歯部を形成し、この鋸歯部に末端が係止される係止片を円筒形作動棒の外周面に形成し、平常時には係止片の末端がベルトの鋸歯部に係止され、押圧棒のノブを押すと係止解除されるベルトが開示されている（例えば特許文献１等参照）。
【先行技術文献】
【特許文献】
【０００４】
【特許文献１】特開平８−３２５８１８号公報
【発明の概要】
【発明が解決しようとする課題】
【０００５】
しかしながら、上記従来技術では、ベルトに係止用の鋸歯部を予め形成しなければならず製造工程が煩雑であると共にコストもかかっていた。さらに、作動棒の構成も、ノブの押圧により作動棒がスライドすることでベルトとの係止が解除されるような構成であることから、その構造は複雑であった。また、通常状態でノブが突出していることから美観を損ね、デザイン的にも好ましいものではなかった。
【０００６】
さらに、一般に、右利きの人と左利きの人とでは、ベルトの腰への巻き方が、バックルを基準に右巻きにしたり、左巻きにしたりと異なる場合がある。その場合、バックルに長尺部材の先端を差し込む位置が左右異なるが、従来技術では、右巻きでも左巻きでも同じ態様で使用できるようにとの観点からの工夫はなされていなかった。
【０００７】
本発明は、このような課題に鑑みてなされたものであり、その目的とするところは、右巻き、左巻き、いずれの場合でも同じ使用感で長尺部材の留め位置を調整することができ、操作性が良好で、簡易な構成で実現され、製造コストも抑えられ、デザイン的にも優れた、バックル及びそれを用いたベルトを提供することにある。
【課題を解決するための手段】
【０００８】
上記課題を解決するため、本発明の一態様であるバックルは、バックル本体と、上記バックル本体の後面側に設けられた係止部と、を備え、上記係止部は、更に上記バックル本体の上下方向に延びた回転軸を中心に回転自在な回転作動部と、上記回転作動部の周面上に形成された当接部と、上記回転作動部の周面上より突出するように形成された分離した２つの操作部と、上記回転作動部の内部において回転軸周りに巻かれたバネ部材と、を有し、上記２つの操作部は、上記回転作動部の上端近傍及び下端近傍にそれぞれ設けられており、上記バックル本体に対して長尺部材を挿通すると、上記回転作動部が上記回転軸を中心に回転し、上記係止部の上記当接部が当該長尺部材に当接して位置固定し、上記２つの操作部のいずれかを押下すると、上記回転作動部が上記回転軸を中心に回転し、当該回転に従って上記当接部の上記長尺部材への当接が解除される。
【０００９】
また、本発明の他の態様であるベルトは、長尺部材と、上記長尺部材の一端を保持すると共に他端を任意の位置で保持するものであってバックル本体と当該バックル本体の後面側に設けられた係止部とを備えたバックルとからなるベルトであって、上記係止部は、更に上記バックル本体の上下方向に延びた回転軸を中心に回転自在な回転作動部と、上記回転作動部の周面上に形成された当接部と、上記回転作動部の周面上より突出するように形成された分離した２つの操作部と、上記回転作動部の内部において回転軸周りに巻かれたバネ部材と、を有し、上記２つの操作部は、上記回転作動部の上端近傍及び下端近傍にそれぞれ設けられており、上記バックル本体に対して長尺部材を挿通すると、上記係止部の上記当接部が当該長尺部材に当接して位置固定し、上記操作部を押下すると、上記回転作動部が上記回転軸を中心に回転し、当該回転に従って上記当接部の上記長尺部材への当接が解除される。
【発明の効果】
【００１０】
本発明によれば、右巻き、左巻き、いずれの場合でも同じ使用感で長尺部材の留め位置を調整することができ、操作性が良好で、簡易な構成で実現され、製造コストも抑えられ、デザイン的にも優れた、バックル及びそれを用いたベルトを提供することができる。
【図面の簡単な説明】
【００１１】
【図１】本発明の一実施形態に係るバックルを後面部側から見た斜視図である。
【図２】本発明の一実施形態に係るバックルを前面部側から見た斜視図である。
【図３】本発明の一実施形態に係るバックルの平面図である。
【図４】本発明の一実施形態に係るバックルの底面図である。
【図５】本発明の一実施形態に係るバックルの側面図である。
【図６】（ａ）乃至（ｃ）は、本発明の一実施形態に係るバックルを用いたベルトの構成図である。
【発明を実施するための形態】
【００１２】
以下、図面を参照しつつ本発明の実施形態について説明する。
【００１３】
図１には本発明の一実施形態に係るバックルを後面部側から見た斜視図を示し、図２には当該バックルを前面部側から見た斜視図を示し、説明する。
【００１４】
図２に示されるように、バックル１は、略板状体等からなるバックル本体２を備えている。このバックル本体２は、バックル自体のデザイン性を司る部分であり、バックル本体２自体を所定の形状に成型したり、バックル本体２の前面部３に所定のデザインの刻印等をしたりすることもできる。さらに、バックル本体２の前面部３を塗装したり、合成皮革等のシートで少なくともその一部をコーティングしたりすることもできる。バックル本体２は、所定の曲率で丸みを帯びていてもよい。また、バックル本体２の長手方向の幅（長さ）や短手方向の幅（長さ）、厚みは、所望とするサイズで成型することができる。尚、前面部３とは、装着時に装着者の体とは反対側を向く面である。
【００１５】
図１に示されるように、バックル本体２の後面部４には、バックル本体２の長手方向であって長尺部材の挿通方向に従って、順に挿通保持部５、係止部６、そしてベルト保持部７が設けられている。挿通保持部５は、長尺部材の一端が挿入されるものであり、挿通された長尺部材がバックル本体１の短手方向（上下方向）等にズレないように保持する役割を担っている。係止部６については、詳細は後述するが、挿通保持部５を介して挿通された長尺部材の表面に係止し、位置固定する役割を担っている。そして、ベルト保持部７はここでは不図示の連結部材を介して長尺部材の挿通保持部５への挿通端とは逆の他端を保持する役割を担っている。尚、長尺部材とは、ベルト本体ともいうことができ、例えば皮や合成皮革、布等でできた帯状の部材をいう。
【００１６】
挿通保持部５は、第１側面部８と平面部９とで構成されている。即ち、バックル本体２の後面部４の左方上下端近傍に当該後面部４の平面に垂直な方向に第１側面部８が延びており、第１側面部８の上端同士が平面部９で連結され、全体としてゲート形状の挿通保持部５が形成されている。この第１側面部８の後面部４からの高さは、挿通される長尺部材の厚さよりやや高くなっている。また、第１側面部８の間隔、つまり平面部９の幅は、挿通される長尺部材の幅よりもやや広くなっている。このように開口部分のサイズを規定することで、長尺部材を円滑に挿通可能としつつも、長尺部材の幅方向に当該長尺部材の位置がズレないようにしている。
【００１７】
係止部６の詳細な構成については、後に詳述するが、バックル本体２の短手方向に延びた回転軸１７周りを回動自在の回転作動部１３を有している。そして、この回転作動部１３と当接部１４、操作部１６ａ、１６ｂが連動する点、特徴的である。この例では、操作部１６ａ，１６ｂは、所定の厚みを有する略半円形状となっているが、その形状はこれに限定されず、三角形、矩形など、種々の形状とすることができる。
【００１８】
ベルト保持部７は、バックル本体２の後面部４の平面から垂直方向に延びた第２側面部１０の一部である延出面１１ｂに、その両端が連結された２本の保持用軸部１２ａ、１２ｂを備えている。この保持用軸部１２ａ、１２ｂに、ここでは不図示の連結部材２２が連結されて、長尺部材の一端が保持されることになる。連結部材２２は、長尺部材と同じ素材のつなぎを介して保持用軸部１２ａ，１２ｂに装着しても、連結部材２２としての所謂フリーサイズ金具などを直接的に保持用軸部１２ａ，１２ｂに装着してもよい。なお、保持用軸部１２ａ、１２ｂは長尺部材の係止部６での係止動作を阻害しないように、係止位置よりもやや高い位置に配設されている。
【００１９】
以下、図３には本発明の一実施形態に係るバックルの平面図を示し、図４には当該バックルの底面図を示し、図５には当該バックルの側面図を示し、特に係止部６の構成及び作用を更に詳細に説明する。
【００２０】
これらの図３乃至図５に示されるように、バックル本体２の後面部４の上下端には当該バックル本体２の略中央より右方にかけて第２側面部１０が形成されている。即ち、後面部４の平面と垂直な方向に起立した第２側面部１０が形成されている。この第２側面部１０の略中央よりの一部は係止部保持面１１ａとなっており、係止部保持面１１ａの中央には回転軸１７を挿通保持するための孔１１ｃが設けられている。
【００２１】
係止部保持面１１ａ間には、回転作動部１３が配置され、当該回転作動部１３の内部を挿通するように、一方の係止部保持面１１ａから回転軸１７が通され、他方の係止部保持面１１ａでその先端にピンが装着され、抜けないように位置決めされる。この回転作動部１３の内部においては、回転軸１７周りにバネ部材１８が巻かれており、通常の状態では回転作動部１３が図４に示されるような角度に保持されるよう当該バネ部材１８により付勢されている。
【００２２】
回転作動部１３は、回転軸１７周りを回転自在であり、後面部４に対向する周面上に当接部１４を有し、当該当接部１４の長手方向と略平行となるように操作部１６ａ，１６ｂが周面より突出するように設けられている。この例では、バックル本体２の上端近傍、及び下端近傍に位置するように２つの操作部１６ａ，１６ｂが設けられている。これは、右利きの人がズボンの左側からベルトを通した場合でも、左利きの人がズボンの右側からベルトを通した場合でも、必ず上端近傍に操作部が位置するように工夫したものである。従って、ベルトの右巻き、左巻きに関わらず同じ使用感で使用することができる。
【００２３】
長尺部材を挿通する前の通常の状態では、前述したバネ部材１８の付勢力により、当接部１４が後面部４と平行な平面に対して約４５度、操作部１６ａ，１６ｂも後面部４と平行な平面に対して約４５度傾いている。但し、これには限定されない。一方、長尺部材を係止部６に挿通し当接部１４が当該長尺部材の当接している状態では、操作部１６ａ，１６ｂは後面部４の平面と平行な平面に対して略平行となる。従って、装着者に違和感を与えることがなく、良好な装着感を与える。
【００２４】
当接部１４の表面は溝面部１５となっており、長尺部材への当接保持を確実なものとしている。この溝面部１５には、ゴム等の各種の弾性部材を用いてもよい。その場合、材料の選択により、所望とする当接保持力を確保することが可能となる。また、溝面部１５の貼付面積、形成面積や、凹凸パターンを変更することでも、所望とする当接保持力となるように調整することが可能となる。
【００２５】
係止を解除するときには、操作部１６ａ，１６ｂのいずれかを、更に後面部４側に押し込めば、当接部１４が回転作動部１３の円周方向に回転し、当接部１４の溝面部１５が後面部４から遠ざかるように移動するので、それにより解除できる。
【００２６】
次に、図６（ａ）、図６（ｂ）、図６（ｃ）には、長尺部材を挿通し、係止部６にて係止した後、その係止を解除する過程を示し、更に詳細に説明する。
【００２７】
尚、図６（ａ）乃至図６（ｃ）では、バックル１のベルト保持部７に連結部材２２を介して皮、合成皮革、布等の長尺部材２１の一端を連結したベルト２０を示しており、当該長尺部材２１の他端の挿通、係止、解除の過程を示している。
【００２８】
図６（ａ）に示されるように、ベルト２０の長尺部材２１の他端が挿通保持部５を挿通して、係止部６に至ると、当該係止部６の当接部１４の溝面部１５に当接し、当該溝面部１５を挿通方向Ａに押し込む。この長尺部材２１を押し込む力により、回転作動部１３が図中矢印Ｂの方向に回転し、それに伴い、操作部１６ａ，１６ｂの後面部４に平行な平面に対する角度が小さくなる。
【００２９】
そして、図６（ｂ）に示されるように、長尺部材２１が完全に係止部６を挿通した状態となると、当接部１４の溝面部１５が長尺部材２１の表面に係止して、位置固定する。この状態では、回転作動部１３の内部に配設されたバネ部材１８の付勢力により、回転作動部１３が図中矢印Ｃの方向に回転しようとする回転力が働いているので、当該回転力により当接部１４の溝面部１５からも長尺部材２１の表面に対して押圧力が働くので、両者の係止がより強固なものとなる。
【００３０】
図６（ｃ）に示されるように、係止を解除するときには、操作部１６ａ，１６ｂのいずれかを、後面部４の方に押し込むように押圧力を与える。すると、回転作動部１３が図中矢印Ｄの方向に回転し、それに伴い当接部１４の溝面部１５により係止が解除され、長尺部材２１の係止部６により位置固定が解除される。このとき、操作部１６ａ，１６ｂは回転作動部１３に直接的に設けられているので、当該操作部１６ａ，１６ｂに対する力が回転作動部１３に作用しやすく、迅速な解除を実現する。
【００３１】
以上詳述したように、本発明の実施形態によれば、以下の効果が奏される。
【００３２】
（１）すなわち、本発明の実施形態によれば、バックル本体２と、バックル本体２の後面側に設けられた係止部６とを備え、係止部６は、更にバックル本体２の短手方向に延びた回転軸１７を中心に回転自在な回転作動部１３と、回転作動部１３の周面上に形成された当接部１４と、回転作動部１３の周面上に形成された操作部１６とを有し、操作部１６は、回転作動部１３の上端近傍及び下端近傍に設けられており（１６ａ，１６ｂ）、バックル本体２に対して長尺部材を挿通すると、係止部６の当接部１４が当該長尺部材に当接して位置固定し、操作部１６ａ，１６ｂを押下すると、回転作動部１３が回転軸１７を中心に回転し、当該回転に従って当接部１４の長尺部材への当接が解除されるバックル１が提供される。
【００３３】
この場合、ユーザは、長尺部材の他端をバックルの係止部を挿通させるだけで係止部の当接部１４が長尺部材の表面に当接し、位置固定することができる。しかも、位置固定を解除したいときには、回転作動部１３に設けられた操作部１６ａ又は１６ｂを後面部側に押圧するだけで、当接面がずれて当接部１４による位置固定を解除することができる。
【００３４】
このとき、操作部１６ａ，１６ｂは、回転作動部１３の上端近傍及び下端近傍に設けられているので、右利きの人がズボンの左からベルトを通した場合でも、左利きの人がズボンの右からベルトを通した場合でも、即ち、所謂右巻き、左巻きのいずれの場合でも、必ずバックルの回転作動部１３の上方位置に操作部があるので、同じ操作感で使用することが可能である。
【００３５】
しかも、この操作部１６ａ，１６ｂは、バックル全体に対して面積が小さく、長尺部材を通しているときには、バックルの後面部と略平行に延びた位置となるので、使用者に対して異物感を与えることもない。更に、回転作動部１３に直接設けられているので、わずかな力で押圧するだけで、回転作動部１３の回転に大きな力、つまり回転力を与えることができるので、位置固定解除についても操作性が良好である。
【００３６】
（２）ここで、当接部１４は、所定の間隔で溝が刻まれた溝面部１５を有し、回転作動部１３の回転にしたがって、当接部１４の溝面部１５が回転作動部１３の円周方向に移動することで、当接が解除されることとしてもよい。
【００３７】
この場合、溝面部１５により、長尺部材に対する位置固定のための保持力を高めることができる。更に、当接部１４の溝面部１５が、回転作動部１３の回転に追従して当該回転作動部１３の円周方向に動くので、最小限の移動範囲で解除が可能となる。
【００３８】
（３）また、回転作動部１３は、通常の状態では、当接部１４が長尺部材に当接する位置となるようにバネ部材１８により付勢されていることとしてよい。
【００３９】
この場合、上記バネ部材１８の付勢力により、バックルに長尺部材の他端を挿通させたときに、その挿通動作を止めた段階で、瞬時に、当接部が長尺部材に対して当接され、所定の押圧力で挟持され続け、位置固定される。
【００４０】
（４）また、溝面部１５は、弾性部材により形成されていてよい。
【００４１】
この場合、溝面部の長尺部材表面に対するグリップ感、挟持力を更に高めることが可能となる。また、好適な材料やサイズ（面積、厚さ）の選択により、所望とされるグリップ感、挟持力に調整することも可能となる。
【００４２】
（５）一方、本発明の実施形態によれば、長尺部材２１と、長尺部材２１の一端を保持すると共に他端を任意の位置で保持するもので、バックル本体２と当該バックル本体２の後面側に設けられた係止部６とを備えたバックル１とからなるベルト２０であって、係止部６は、更にバックル本体２の短手方向に延びた回転軸１７を中心に回転自在な回転作動部１３と、回転作動部１３の周面上に形成された当接部１４と、回転作動部１３の周面上に形成された操作部１６とを有し、操作部１６は、回転作動部１３の上端近傍及び下端近傍に設けられており（１６ａ，１６ｂ）、バックル本体２に対して長尺部材２１の他端を挿通すると、係止部６の当接部１４が当該長尺部材２１に当接して位置固定し、操作部１６ａ，１６ｂを押下すると、回転作動部１３が回転軸１７を中心に回転し、当該回転に従って当接部１４の長尺部材２１への当接が解除されるベルト２０が提供される。
【００４３】
この場合、上記（１）と同様の効果を奏する。
【００４４】
このように、本発明によれば、右巻き、左巻きのいずれの場合でも同じ使用感で使うことができ、操作性が良好で、簡易な構成で実現され、製造コストも抑えられ、デザイン的にも優れた、バックル及びそれを用いたベルトを提供することができる。
【００４５】
以上、本発明の一実施形態について説明したが、本発明はこれに限定されることなくその趣旨を逸脱しない範囲で種々の改良・変更が可能である。例えば、上記実施形態では係止部の回転作動部に配設される操作部を分離した２つの部材で構成する例を示したが、その形状は前述したものに限定されず、種々の形状とすることができる。
【符号の説明】
【００４６】
１  バックル
２  バックル本体
３  前面部
４  後面部
５  挿通保持部
６  係止部
７  ベルト保持部
８  第１側面部
９  平面部
１０  第２側面部
１１ａ  係止部保持面
１１ｂ  延出面
１１ｃ  孔
１２ａ，１２ｂ  保持用軸部
１３  回転作動部
１４  当接部
１５  溝面部
１６ａ，１６ｂ  操作部
１７  回転軸
１８  バネ部材
２０  ベルト
２１  長尺部材
２２  連結部材
【図１】
0005993474.tif 000002
【図２】
0005993474.tif 000003
【図３】
0005993474.tif 000004
【図４】
0005993474.tif 000005
【図５】
0005993474.tif 000006
【図６】
0005993474.tif 000007